(57)【要約】【課題】制御機に新たに回路を追加することなく、管理室等で撮像された映像を居室親機または集合玄関機のモニタに映すことができる集合住宅インターホンシステムを提供する。【解決手段】制御機４８に、集合玄関機１５が接続されておらず使用されていない集玄カメラＩＦ４４の集合玄関機カメラＩＤを予め登録しておくことで、集玄カメラＩＦ４４に集合玄関機１５のカメラ１４が接続されていない場合でも該集玄カメラＩＦ４４を使用できるようにするとともに、カメラＩＤテーブル記憶部４８により、管理室親機ＩＤと、管理室カメラ２４が接続されている集玄カメラＩＦ４４の集合玄関機カメラＩＤとを関連付けることで、管理室親機２０に連動して管理室カメラ２４が起動するように構成する。【選択図】図１
2011182333.tif 000002
【特許請求の範囲】
【請求項１】
集合住宅のエントランス等に設置され、来訪者を撮像するためのカメラおよび居住者を呼び出す機能を備えた集合玄関機と、各住戸に設置され、前記集合玄関機からの呼び出しに応答する機能を備えた居室親機と、管理人室等に設置され、居住者等と通話する機能を備えた管理室親機と、前記集合玄関機、前記居室親機、および前記管理室親機を制御する制御機と、を有する集合住宅インターホンシステムにおいて、
前記管理室親機の付近に設置され、管理人等を撮像するための管理室カメラを備えており、
前記制御機は、複数の集合玄関機とそれぞれ通信するための複数の集合玄関機用の通信回線と、前記管理室親機と通信するための管理室親機用の通信回線と、を備えており、
前記複数の集合玄関機用の通信回線は、接続された集合玄関機のカメラにより撮像された映像を前記制御機に送信するための映像ラインをそれぞれ有しており、
前記制御機には、前記管理室親機用の通信回線に接続される管理室親機を識別するための管理室親機ＩＤと、前記複数の集合玄関機用の通信回線のそれぞれに接続される集合玄関機のカメラを識別するための複数の集合玄関機カメラＩＤとが登録されており、
前記管理室カメラは、前記複数の集合玄関機用の通信回線のうち、集合玄関機が接続されておらず使用されていない通信回線に接続されており、
前記制御機は、前記管理室親機ＩＤと、前記複数の集合玄関機用の通信回線のうち、前記管理室カメラが接続されている通信回線に登録された集合玄関機カメラＩＤとを関連付けるカメラＩＤテーブル記憶手段と、前記管理室親機から前記居室親機が呼び出された際または前記居室親機から前記管理室親機が呼び出された際、前記カメラＩＤテーブル記憶手段により前記管理室親機と関連付けられた集合玄関機用の通信回線に接続されたカメラを起動させるカメラ起動信号を送信するカメラ起動手段と、をさらに有している、
集合住宅インターホンシステム。
【請求項２】
前記カメラ起動手段は、前記居室親機から前記管理室親機が呼び出された際、前記居室親機と前記管理室親機とが通話状態になった場合に、前記カメラＩＤテーブル記憶手段により前記管理室親機と関連付けられた集合玄関機用の通信回線に接続されたカメラを起動させる前記カメラ起動信号を送信する、
請求項１記載の集合住宅インターホンシステム。
【請求項３】
前記集合玄関機の付近に設置され、管理人等の顔を表示する集合玄関機モニタをさらに備えており、
前記制御機は、前記管理室親機用の通信回線を複数備えており、
前記複数の管理室親機用の通信回線は、接続された管理室親機のモニタに、前記制御機から受信した映像を写す映像ラインをそれぞれ有しており、
前記制御機には、前記管理室親機用の通信回線のそれぞれに接続される管理室親機のモニタを識別するための複数のモニタＩＤと、前記集合玄関機用の通信回線に接続される集合玄関機を識別するための集合玄関機ＩＤとが登録されており、
前記集合玄関機モニタは、前記複数の管理室親機用の通信回線のうち、管理室親機が接続されておらず使用されていない通信回線に接続されており、
前記制御機は、前記集合玄関機ＩＤと、前記複数の管理室親機用の通信回線のうち、管理室親機が接続されておらず使用されていない通信回線に登録されたモニタＩＤとを関連付けるモニタＩＤテーブル記憶手段と、前記集合玄関機と前記管理室親機とが通話状態になった場合に、前記モニタＩＤテーブル記憶手段により前記集合玄関機と関連付けられた管理室親機用の通信回線に接続されたモニタを起動させるモニタ起動信号を送信するモニタ起動手段と、をさらに有している、
請求項１または２記載の集合住宅インターホンシステム。
【請求項４】
集合住宅のエントランス等に設置され、来訪者を撮像するためのカメラおよび居住者を呼び出す機能を備えた集合玄関機と、管理人室等に設置され、居住者等と通話する機能を備えた管理室親機と、前記集合玄関機および前記管理室親機を制御する制御機と、を有する集合住宅インターホンシステムにおいて、
前記集合玄関機の付近に設置され、管理人等の顔を表示する集合玄関機モニタを備えており、
前記制御機は、前記集合玄関機と通信するための集合玄関機用の通信回線と、複数の管理室親機とそれぞれ通信するための複数の管理室親機用の通信回線と、を備えており、
前記複数の管理室親機用の通信回線は、接続された管理室親機のモニタに、前記制御機から受信した映像を写す映像ラインをそれぞれ有しており、
前記制御機には、前記管理室親機用の通信回線のそれぞれに接続される管理室親機のモニタを識別するための複数のモニタＩＤと、前記集合玄関機用の通信回線に接続される集合玄関機を識別するための集合玄関機ＩＤとが登録されており、
前記集合玄関機モニタは、前記複数の管理室親機用の通信回線のうち、管理室親機が接続されておらず使用されていない通信回線に接続されており、
前記制御機は、前記集合玄関機ＩＤと、前記複数の管理室親機用の通信回線のうち、管理室親機が接続されておらず使用されていない通信回線に登録されたモニタＩＤとを関連付けるモニタＩＤテーブル記憶手段と、前記集合玄関機と前記管理室親機とが通話状態になった場合に、前記モニタＩＤテーブル記憶手段により前記集合玄関機と関連付けられた管理室親機用の通信回線に接続されたモニタを起動させるモニタ起動信号を送信するモニタ起動手段と、をさらに有している、
集合住宅インターホンシステム。
【発明の詳細な説明】
【技術分野】
【０００１】
本発明は、マンション等の集合住宅で使用される集合住宅インターホンシステムに関する。
【背景技術】
【０００２】
従来、集合玄関機において来訪者が居住者を呼び出した場合、居室親機から居住者に呼び出しがあったことを知らせる呼出音が鳴動するとともに来訪者の映像が居室親機のモニタに映るように構成された集合住宅インターホンシステムが知られている。このような構成の集合住宅インターホンシステムによれば、居住者が来訪者の姿をモニタで確認してから対応することができるので、セキュリティを高めることができる。
【先行技術文献】
【特許文献】
【０００３】
【特許文献１】特開２００９−２３２０７４号公報
【特許文献２】特開２００６−２５３９５４号公報
【発明の概要】
【発明が解決しようとする課題】
【０００４】
一方、近年においては、セキュリティ性に加えて、コンシェルジュによるサービス提供等の付加価値を伴った集合住宅が増加している。このような集合住宅では、サービスを向上させるため、居住者または来訪者と管理人またはコンシェルジュ（以下、「管理人等）とする。）との通話の際、管理人等の顔を居室親機または集合玄関機のモニタに映すことが求められている。
しかしながら、従来の集合住宅インターホンシステムにおいては、管理室等で撮像された映像を居室親機または集合玄関機のモニタに映すという使い方が想定されていなかったため、管理室等で撮像された映像を居室親機または集合玄関機のモニタに映すには、居室親機、管理室親機または集合玄関機を制御する制御機に、管理室に設置された管理室カメラと居室親機、またはこの管理室カメラと集合玄関機のモニタとをつなぐ映像ラインを新たに追加しなければならず、ハード面の構成を再構築する必要があった。
一方、図３に示すように、従来の集合住宅インターホンシステム１００は、複数の集合玄関機１１０または複数の管理室親機１２０を制御機１４０に接続して使用できるように、複数の集合玄関機用の映像ラインＳ１または複数の管理室親機用の映像ラインＳ２を備えている。複数の集合玄関機用の映像ラインＳ１は、それぞれ接続された集合玄関機１１０のカメラにより撮像された映像を制御機１４０に送信する構成となっており、複数の管理室親機用の映像ラインＳ２は、制御機１４０から集合玄関機１１０のカメラまたは居室親機１３０のカメラにより撮像された映像等を受信する構成となっている。そして、これらの複数の集合玄関機用の映像ラインＳ１または複数の管理室親機用の映像ラインＳ２の一部には、マンションの規模等の状況により、これらに集合玄関機１１０または管理室親機１２０が接続されずに使用されていない状態のものもある。
【０００５】
本発明は、以上のような点に着目してなされたものであり、制御機に新たに回路を追加することなく、管理室等で撮像された映像を居室親機または集合玄関機のモニタに映すことができる集合住宅インターホンシステムを提供することを課題とする。
【課題を解決するための手段】
【０００６】
上記課題を解決するために、本願発明者は、以下のような集合住宅インターホンシステムを提案する。
【０００７】
本発明の集合住宅インターホンシステムは、集合住宅のエントランス等に設置され、来訪者を撮像するためのカメラおよび居住者を呼び出す機能を備えた集合玄関機と、各住戸に設置され、前記集合玄関機からの呼び出しに応答する機能を備えた居室親機と、管理人室等に設置され、居住者等と通話する機能を備えた管理室親機と、前記集合玄関機、前記居室親機、および前記管理室親機を制御する制御機と、を有している。
このインターホンシステムは、前記管理室親機の付近に設置され、管理人等を撮像するための管理室カメラを備えており、前記制御機は、複数の集合玄関機とそれぞれ通信するための複数の集合玄関機用の通信回線と、前記管理室親機と通信するための管理室親機用の通信回線と、を備えており、前記複数の集合玄関機用の通信回線は、接続された集合玄関機のカメラにより撮像された映像を前記制御機に送信するための映像ラインをそれぞれ有しており、前記制御機には、前記管理室親機用の通信回線に接続される管理室親機を識別するための管理室親機ＩＤと、前記複数の集合玄関機用の通信回線のそれぞれに接続される集合玄関機のカメラを識別するための複数の集合玄関機カメラＩＤとが登録されており、前記管理室カメラは、前記複数の集合玄関機用の通信回線のうち、集合玄関機が接続されておらず使用されていない通信回線に接続されており、前記制御機は、前記管理室親機ＩＤと、前記複数の集合玄関機用の通信回線のうち、前記管理室カメラが接続されている通信回線に登録された集合玄関機カメラＩＤとを関連付けるカメラＩＤテーブル記憶手段と、前記管理室親機から前記居室親機が呼び出された際または前記居室親機から前記管理室親機が呼び出された際、前記カメラＩＤテーブル記憶手段により前記管理室親機と関連付けられた集合玄関機用の通信回線に接続されたカメラを起動させるカメラ起動信号を送信するカメラ起動手段と、をさらに有している。
上述のように、従来の集合住宅インターホンシステムが有する複数の集合玄関機用の映像ラインは、それぞれ接続された集合玄関機のカメラにより撮像された映像を制御機に送信する構成となっており、これらの映像ラインの中には集合玄関機が接続されておらず使用されていない状態のものが存在する場合がある。
この使用されていない集合玄関機用の映像ラインに管理室カメラを接続することにより、管理室カメラで撮像された映像を制御機を介して居室親機に送信することができれば、制御機に新たに回路を追加することなく管理室等で撮像された映像を居室親機のモニタに映すことができる。しかしながら、上記集合住宅インターホンシステムは、例えば集合玄関機用の映像ラインに集合玄関機が接続された際に、該集合玄関機のカメラを識別するための集合玄関機カメラＩＤが集合玄関機から制御機に送信されるとともに該集合玄関機カメラＩＤが制御機に登録されることにより、該集合玄関機用の映像ラインに接続された集合玄関機のカメラが認識されるような構成になっているのが一般的である。すなわち、単に集合玄関機用の映像ラインに管理室カメラを接続しただけでは制御機が該管理室カメラを認識することはないため、このままでは集合玄関機用の映像ラインを管理室カメラにより撮像された映像を制御機に送信するための映像ラインとして使用することはできない。
本発明は以上のような点に鑑みてなされたものであり、本発明の上記集合住宅インターホンシステムによれば、制御機に、複数の集合玄関機用の通信回線のうち、集合玄関機が接続されておらず使用されていない通信回線に予め集合玄関機カメラＩＤを登録しておくことで、集合玄関機用の通信回線に集合玄関機が接続されていない場合でも該集合玄関機用の通信回線を使用できるようにするとともに、カメラＩＤテーブル記憶手段により、管理室親機ＩＤと、管理室カメラが接続されている通信回線に登録された集合玄関機カメラＩＤとを関連付けることで、管理室親機に連動して管理室カメラが起動するようにすることができる。また、管理室カメラの起動は、カメラ起動手段により、管理室親機から居室親機が呼び出された際または居室親機から管理室親機が呼び出された際、カメラＩＤテーブル記憶手段により前記管理室親機と関連付けられた集合玄関機用の通信回線に接続されたカメラを起動させるように構成されているため、居室親機が管理室親機からの呼び出しに応答した際、居室親機のモニタに管理室カメラで撮像した映像を表示することができる。
このように、本発明の集合住宅インターホンシステムによれば、当初から存在する集合玄関機用の通信回線を使用することにより、制御機に新たに回路を追加することなく、管理室等で撮像された映像を居室親機のモニタに映すことができる。
【０００８】
前記カメラ起動手段は、前記居室親機から前記管理室親機が呼び出された際、前記居室親機と前記管理室親機とが通話状態になった場合に、前記カメラＩＤテーブル記憶手段により前記管理室親機と関連付けられた集合玄関機用の通信回線に接続されたカメラを起動させる前記カメラ起動信号を送信するような構成になっていてもよい。
このように構成された集合住宅インターホンシステムによれば、居住者から管理人を呼び出した際、管理人の意思により呼び出しに応答することにより居室親機と管理室親機とが通話状態になった後で管理室カメラが起動するようになっているため、管理人のプライバシーを保護することができる。
【０００９】
本発明の他の集合住宅インターホンシステムは、集合住宅のエントランス等に設置され、来訪者を撮像するためのカメラおよび居住者を呼び出す機能を備えた集合玄関機と、管理人室等に設置され、居住者等と通話する機能を備えた管理室親機と、前記集合玄関機および前記管理室親機を制御する制御機と、を有している。
この集合住宅インターホンシステムは、前記集合玄関機の付近に設置され、管理人等の顔を表示する集合玄関機モニタを備えており、前記制御機は、前記集合玄関機と通信するための集合玄関機用の通信回線と、複数の管理室親機とそれぞれ通信するための複数の管理室親機用の通信回線と、を備えており、前記複数の管理室親機用の通信回線は、接続された管理室親機のモニタに、前記制御機から受信した映像を写す映像ラインをそれぞれ有しており、前記制御機には、前記管理室親機用の通信回線のそれぞれに接続される管理室親機のモニタを識別するための複数のモニタＩＤと、前記集合玄関機用の通信回線に接続される集合玄関機を識別するための集合玄関機ＩＤとが登録されており、前記集合玄関機モニタは、前記複数の管理室親機用の通信回線のうち、管理室親機が接続されておらず使用されていない通信回線に接続されており、前記制御機は、前記集合玄関機ＩＤと、前記複数の管理室親機用の通信回線のうち、管理室親機が接続されておらず使用されていない通信回線に登録されたモニタＩＤとを関連付けるモニタＩＤテーブル記憶手段と、前記集合玄関機と前記管理室親機とが通話状態になった場合に、前記モニタＩＤテーブル記憶手段により前記集合玄関機と関連付けられた管理室親機用の通信回線に接続されたモニタを起動させるモニタ起動信号を送信するモニタ起動手段と、をさらに有している。
上述のように、従来の集合住宅インターホンシステムが有する複数の管理室親機用の映像ラインは、制御機から集合玄関機のカメラまたは居室親機のカメラにより撮像された映像等を受信する構成となっており、これらの映像ラインの中には管理室親機が接続されておらず使用されていない状態のものが存在する場合がある。
この使用されていない管理室親機用の映像ラインに集合玄関機モニタを接続することにより、管理室等で撮像された映像を制御機を介して集合玄関機モニタが受信することができれば、制御機に新たに回路を追加することなく管理室等で撮像された映像を集合玄関機モニタに映すことができる。しかしながら、この集合住宅インターホンシステムは、例えば管理室親機用の映像ラインに管理室親機が接続された際に、該管理室親機のモニタを識別するためのモニタＩＤが管理室親機から制御機に送信されるとともに該モニタＩＤが制御機に登録されることにより、該管理室親機用の映像ラインに接続された管理室親機のモニタが認識されるような構成になっているのが一般的である。すなわち、単に管理室親機用の映像ラインに集合玄関機モニタを接続しただけでは制御機が該集合玄関機モニタを認識することはないため、このままでは管理室親機用の映像ラインを、管理室等で撮像された映像を制御機を介して受信するための映像ラインとして使用することはできない。
本発明は以上のような点に鑑みてなされたものであり、本発明の上記集合住宅インターホンシステムによれば、制御機に、複数の管理室親機用の通信回線のうち、管理室親機が接続されておらず使用されていない通信回線に予めモニタＩＤを登録しておくことで、管理室親機用の通信回線に管理室親機が接続されていない場合でも該管理室親機用の通信回線を使用できるようにするとともに、モニタＩＤテーブル記憶手段により、集合玄関機ＩＤと、集合玄関機モニタが接続されている通信回線に登録されたモニタＩＤとを関連付けることで、集合玄関機に連動して集合玄関機モニタが起動するようにすることができる。また、集合玄関機モニタは、モニタ起動手段により、集合玄関機と管理室親機とが通話状態になった場合に起動されるように構成されているため、集合玄関機と管理室親機とが通話状態になった場合に、集合玄関機のモニタに管理室等で撮像された映像を表示することができる。
このように、本発明の集合住宅インターホンシステムによれば、当初から存在する管理室親機用の通信回線を使用することにより、制御機に新たに回路を追加することなく、集合玄関機モニタに管理室等で撮像された映像を表示することができる。
なお、本発明においては、管理室等で撮像された映像の制御機への送信方法については特に限定せず、どのような方法で送信されてもよいが、例えば、前述した本発明の集合住宅インターホンシステムのように、当初から存在する集合玄関機用の通信回線を使用して送信するような構成としてもよい。
【００１０】
すなわち、前述した、当初から存在する集合玄関機用の通信回線を使用して送信するような構成の本発明の集合住宅インターホンシステムは、前記集合玄関機の付近に設置され、管理人等の顔を表示する集合玄関機モニタをさらに備えており、前記制御機は、前記管理室親機用の通信回線を複数備えており、前記複数の管理室親機用の通信回線は、接続された管理室親機のモニタに、前記制御機から受信した映像を写す映像ラインをそれぞれ有しており、前記制御機には、前記管理室親機用の通信回線のそれぞれに接続される管理室親機のモニタを識別するための複数のモニタＩＤと、前記集合玄関機用の通信回線に接続される集合玄関機を識別するための集合玄関機ＩＤとが登録されており、前記集合玄関機モニタは、前記複数の管理室親機用の通信回線のうち、管理室親機が接続されておらず使用されていない通信回線に接続されており、前記制御機は、前記集合玄関機ＩＤと、前記複数の管理室親機用の通信回線のうち、管理室親機が接続されておらず使用されていない通信回線に登録されたモニタＩＤとを関連付けるモニタＩＤテーブル記憶手段と、前記集合玄関機と前記管理室親機とが通話状態になった場合に、前記モニタＩＤテーブル記憶手段により前記集合玄関機と関連付けられた管理室親機用の通信回線に接続されたモニタを起動させるモニタ起動信号を送信するモニタ起動手段と、をさらに有していてもよい。
このような集合住宅インターホンシステムによれば、当初から存在する集合玄関機用の通信回線および管理室親機用の通信回線を使用することにより、制御機に新たに回路を追加することなく、管理室等で撮像された映像を居室親機のモニタおよび集合玄関機モニタに映すことができる。
【発明の効果】
【００１１】
本発明によれば、制御機に新たに回路を追加することなく、管理室等で撮像された映像を居室親機または集合玄関機のモニタに映すことができる。
【図面の簡単な説明】
【００１２】
【図１】本実施形態の集合住宅インターホンシステムの全体を示すブロック図。
【図２】カメラＩＤテーブルによる管理室親機ＩＤと集合玄関機カメラＩＤとの関連付け、およびモニタＩＤテーブルによる集合玄関機ＩＤとモニタＩＤとの関連付けの一例を示す図。
【図３】従来の集合住宅インターホンシステムの全体構成を示す図。
【発明を実施するための形態】
【００１３】
以下、本発明の集合住宅インターホンシステムの好ましい一実施形態を、図面を参照しながら詳細に説明する。
【００１４】
この実施形態による集合住宅インターホンシステム１は、概略で図１に示したように構成される。すなわち、このインターホンシステム１は、集合住宅のエントランスに設置され、居住者を呼び出す機能を備えた一つ以上の集合玄関機１０と、管理人室に設置され、居住者を呼び出す機能を備えた一つ以上の管理室親機２０と、各住戸に設置され、集合玄関機１０または管理室親機２０からの呼び出しに応答する機能を備えた複数の居室親機３０と、制御機４０とを有する。
【００１５】
集合玄関機１０は、来訪者が居室番号を入力して居住者及び管理人の呼出操作を行うための操作部１１と、呼出先の居室親機３０及び管理室親機２０と通話するためのマイク１２およびスピーカ１３と、来訪者を撮像するためのカメラ１４と、管理人の映像を表示するためのモニタ１５とを有している。
【００１６】
管理室親機２０は、各種操作を行うための操作部２１と、居室親機等と通話するための受話器２２と、来訪者等の映像を表示するためのモニタ２３と、管理人を撮像するためのカメラ２４とを有している。
【００１７】
居室親機３０は、集合玄関機１０や管理室親機２０のカメラ１４，２４等で撮像された映像を表示するためのモニタ３１と、集合玄関機１０または管理室親機２０と通話するためのマイク３２およびスピーカ３３とを有している。
その他、集合玄関機１０、管理室親機２０または居室親機３０が通話に必要な音声回路や映像ライン等を備えていることは従来のインターホンシステムと同様であるので、説明を省略する。
【００１８】
制御機４０は、集合玄関機１０と接続され、信号を送受信する集合玄関機インタフェース４１（以下「集玄ＩＦ」とする）と、管理室親機２０と接続され、信号を送受信する管理室親機インタフェース４２（以下「管親ＩＦ」とする）と、居室親機３０と接続され、信号を送受信する居室親機インタフェース４３（以下「居室ＩＦ」とする）と、集合玄関機１０のカメラ１４と接続され、カメラ１４により撮像された映像信号を送信する集合玄関カメラインタフェース４４（以下「集玄カメラＩＦ」とする）と、管理室親機２０のモニタ２３と接続され、カメラ２３により撮像された映像信号を送信する管理室親機モニタインタフェース４５（以下「管親モニタＩＦ」とする）と、各ＩＦ間の音声信号を処理する音声回路４６と、各ＩＦ間の映像信号を処理する映像ライン４７と、制御機４０全体の動作を制御するＣＰＵ４８とを有している。
【００１９】
集玄ＩＦ４１は複数設けられており、データ送受信回路Ｄ、音声回路Ａ、ビデオ受信回路Ｖｍにより集合玄関機１０と制御機４０とが接続されるように構成されている。また、管親ＩＦ４２および居室ＩＦ４３も複数設けられており、データ送受信回路Ｄ、音声回路Ａ、ビデオ受信回路Ｖｍにより管理室親機２０と制御機４０、または居室親機３０と制御機４０とが接続されるように構成されている。また、集玄カメラＩＦ４４も複数設けられており、ビデオ送信回路Ｖｃにより集合玄関機１０と制御機４０とが接続されるように構成されている。さらに、管親モニタＩＦ４５も複数設けられており、ビデオ受信回路Ｖｍにより集合玄関機１０と制御機４０とが接続されるように構成されている。
また、それぞれの集玄ＩＦ４１には、各々に接続された集合玄関機１０を識別するための個別のＩＤが登録されるように構成されている。同様に、管親ＩＦ４２には各々に接続された管理室親機２０を識別するための個別のＩＤが、居室ＩＦ４３には各々に接続された居室親機３０を識別するための個別のＩＤが、集玄カメラＩＦ４４には各々に接続された集合玄関機１０のカメラ１４を識別するための個別のＩＤが、そして管親モニタＩＦ４５には各々に接続された管理室親機２０のモニタ２３を識別するための個別のＩＤが登録されるように構成されている。すなわち、各データ送受信回路Ｄ、音声回路Ａ、ビデオ送信回路Ｖｃ、およびビデオ受信回路Ｖｍに接続される機器が識別できるように構成されている。
これらのＩＤは、各ＩＦ４１，４２，４３，４４，４５に機器が接続された際に該機器からＩＤが制御機４０に送信され、送信されたＩＤが制御機４０に登録されるように構成されている。例えば、第２集玄ＩＦ４１ｂに集合玄関機１０が接続されるとともに第２集玄カメラＩＦ４４ｂにこの集合玄関機１０のカメラ１４が接続されると、この集合玄関機１０を識別するための集合玄関機ＩＤおよび該集合玄関機１０のカメラ１４を識別するための集合玄関機カメラＩＤが、集合玄関機１０からそれぞれ第２集玄ＩＦ４１ｂおよび第２集玄カメラＩＦ４４ｂを介して制御機４０に送信されるとともに、該集合玄関機ＩＤおよび集合玄関機カメラＩＤが制御機４０に登録される。このようにして集合玄関機ＩＤおよび集合玄関機カメラＩＤが登録されることにより、制御機４０に接続された集合玄関機１０および集合玄関機１０のカメラ１４が認識されるようになっている。
【００２０】
ＣＰＵ４８は、特定の集合玄関機カメラＩＤと管理室親機ＩＤとを関連付けるためのカメラＩＤテーブル記憶部４８ａと、特定の管理室モニタＩＤと集合玄関機ＩＤとを関連付けるためのモニタＩＤテーブル記憶部４８ｂとを備えている。これについては、後述する。
【００２１】
次に、以上のように構成された集合住宅インターホンシステム１の動作について説明する。
なお、来訪者が集合玄関機１０を操作して管理人を呼び出す呼出操作、この呼出操作に対して管理人が応答した場合の通話操作、管理人が管理室親機２０を操作して居住者を呼び出す呼出操作、この呼出操作に対して居住者が応答した場合の通話操作、居住者が居室親機３０を操作して管理人を呼び出す呼出操作、この呼出操作に対して管理人が応答した場合の通話操作については、従来と同様であるので動作説明を省略し、ここでは、管理室親機２０のカメラ２４による撮像された画像を居室親機３０のモニタ３１または集合玄関機１０のモニタ１５に表示する動作に関連する集合住宅インターホンシステム１の動作について説明する。
【００２２】
まず、初期設定について、説明する。
上述のように、集合住宅インターホンシステム１の集玄カメラＩＦ４４または管親モニタＩＦ４５は複数設けられているため、これらのＩＦの中には集合玄関機１０のカメラ１４または管理室親機２０が接続されておらず使用されていない状態のものが存在する場合がある。本実施形態では、第１集玄カメラＩＦ４４ａと、第２管親モニタＩＦ４５ｂが使用されていないものとして説明する。これらの使用されていない第１集玄カメラＩＦ４４ａまたは第２管親モニタＩＦ４５ｂには、集合玄関機１０または管理室親機２０が接続されていないため、ＩＤが登録されていない。
このため、このままでは集玄カメラＩＦ４４ａまたは第２管親モニタＩＦ４５ｂにカメラやモニタを接続しても制御機４０に認識されず、使用することができない。そこで、まず制御機４０にパソコンを接続する等してこれらの使用されていない第１集玄カメラＩＦ４４ａおよび第２管親モニタＩＦ４５ｂのそれぞれに予めＩＤを登録しておく。このようにＩＤを登録することで、該第１集玄カメラＩＦ４４ａまたは第２管親モニタＩＦ４５ｂに接続されるカメラまたはモニタが制御機４０に認識されるようになる。
そして、このようにして制御機４０にＩＤを登録した第１集玄カメラＩＦ４４ａに管理室親機カメラ２４を接続する。また、第２管親モニタＩＦ４５ｂに集合玄関機１０のモニタ１５を接続する。
また、カメラＩＤテーブル記憶部４８ａおよびモニタＩＤテーブル記憶部４８ｂに、関連付けるＩＤを記憶させる。本実施形態では、図２に示すように、第１集玄カメラＩＦ４４ａのＩＤである「ＩＤ１」と第１管親ＩＦ４２ａのＩＤである「ＩＤ１」とを関連づけるとともに、第２集玄ＩＦ４１ｂのＩＤである「ＩＤ２」と第２管親モニタＩＦ４５ｂのＩＤである「ＩＤ２」とを関連づけて、カメラＩＤテーブル記憶部４８ａおよびモニタＩＤテーブル記憶部４８ｂに記憶する。
なお、第１集玄カメラＩＦ４４ａまたは第２管親モニタＩＦ４５ｂのＩＤを登録する際、集玄ＩＦ４１や管親ＩＦ４２、第２集玄カメラＩＦ４４ｂや第１管親モニタＩＦ４５ａ等のＩＤを一緒に登録することもできる。
【００２３】
以下、上記のような初期設定を行った状態で、管理室親機２０から居室親機３０の呼出操作を行った場合の動作について、説明する。
具体的には、第１管親ＩＦ４２ａおよび第１管親モニタＩＦ４５ａに接続されている管理室親機２０から、第１居室ＩＦ４３ａに接続されている居室親機３０の呼出操作を行った場合の動作について、説明する。
管理人が管理室親機２０の操作部２１を操作することにより管理室親機２０から居室親機３０への呼出操作を行うと、呼出信号が第１管親ＩＦ４２ａを介して制御機４に送信され、ＣＰＵ４８による制御のもと、該信号が処理される。
このときＣＰＵ４８は、カメラＩＤテーブル記憶部４８ａを参照することによって第１管親ＩＦ４２ａのＩＤが関連付けされているかどうかチェックし、関連付けされている場合には、カメラ起動信号を送信する。本実施形態では、この第１管親ＩＦ４２ａのＩＤは第１集玄カメラＩＦ４１ａのＩＤと関連付けられているため、ＣＰＵ４８は映像ライン４７に対して第１集玄カメラＩＦ４４ａと接続されているはずの集合玄関機カメラを起動するカメラ起動信号を送信する。
映像ライン４７は、カメラ起動信号を受け取ると、第１集玄カメラＩＦ４４ａを介してその先に接続されているカメラ２４に起動信号を送信し、結果的にカメラ２４が起動することとなる。すなわち、本実施形態のように、第１集玄カメラＩＦ４４ａに管理室親機２０のカメラ２４を接続した場合に、集合住宅インターホンシステム１が管理室親機２０のカメラ２４を起動させる起動信号を送信する回路を有しているかのように動作させることができる。
【００２４】
このように、集合住宅インターホンシステム１によれば、制御機４０に、複数の集合玄関機用の通信回線のうち集合玄関機４０が接続されておらず使用されていない通信回線、すなわち使用されていない第１集玄カメラＩＦ４４ａに予め管理室親機カメラＩＤを登録しておくことで、集合玄関機用の通信回線に集合玄関機４０が接続されていない場合でも該集合玄関機用の通信回線を使用できるようにするとともに、カメラＩＤテーブル記憶部４８ａにより、管理室親機ＩＤと、管理室カメラ２４が接続されている通信回線、すなわち第１集玄カメラＩＦ４４ａに登録された集合玄関機カメラＩＤとを関連付けることで、管理室親機２０に連動して管理室用のカメラ２４が起動するようにすることができる。また、カメラ２４の起動は、ＣＰＵ４８により、管理室親機２０から居室親機３０が呼び出された際、カメラＩＤテーブル記憶部４８ａにより管理室親機２０と関連付けられた集合玄関機用の通信回線に接続されたカメラ２４を起動させるように構成されているため、居室親機３０が管理室親機２０からの呼び出しに応答した際、居室親機３０のモニタ３１に管理室のカメラ２４で撮像した映像を表示することができる。
以上のように、本実施形態の集合住宅インターホンシステム１によれば、当初から存在する集合玄関機用の通信回線を使用することにより、制御機４０に新たに回路を追加することなく、管理室等で撮像された映像を居室親機３０のモニタ３１に映すことができる。
【００２５】
次に、居室親機３０から管理室親機２０の呼出操作を行った場合の動作について、説明する。
具体的には、第１居室ＩＦ４３ａに接続されている居室親機３０から、第１管親ＩＦ４２ａおよび第１管親モニタＩＦ４５ａに接続されている管理室親機２０の呼出操作を行った場合の動作について、説明する。
居住者が居室親機３０から管理室親機２０への呼出操作を行うと、呼出信号が第１居室ＩＦ４３ａ、制御機４、第１管親ＩＦ４２ａを介して管理室親機２０に送信され、呼出音が管理室親機２０から鳴動する。
管理人が受話器２２を取ることにより応答操作を行うと、通話信号が第１管親ＩＦ４２ａを介して制御機４に送信され、ＣＰＵ４８による制御のもと、該信号が処理される。
このときＣＰＵ４８は、カメラＩＤテーブル記憶部４８ａを参照することによって、この第１管親ＩＦ４２ａのＩＤが関連付けされているかどうかチェックする。本実施形態では、この第１管親ＩＦ４２ａのＩＤは第１集玄カメラＩＦ４１ａのＩＤと関連付けられているため、ＣＰＵ４８は映像ライン４７に対して第１集玄カメラＩＦ４４ａと接続されているはずの集合玄関機カメラを起動するカメラ起動信号を送信する。
映像ライン４７は、カメラ起動信号を受け取ると、第１集玄カメラＩＦ４４ａを介してその先に接続されているカメラ２４に起動信号を送信し、結果的にカメラ２４が起動することとなる。このようにカメラ２４が起動することにより、上述した管理室親機２０から居室親機３０の呼出操作を行った場合と同様、第１集玄カメラＩＦ４４ａに管理室親機２０のカメラ２４が接続されていれば、管理室親機２０のカメラ２４を起動させる起動信号を送信する回路を有しているかのように動作させることができる。
また、居室親機３０から管理室親機２０の呼出操作を行った場合には、管理人の意思により呼び出しに応答することにより居室親機３０と管理室親機２０とが通話状態になった後で管理室のカメラ２４が起動するようになっているため、管理人のプライバシーを保護することができる。なお、カメラ２４の起動のタイミングは、これに限られるものではなく、ＣＰＵ４８により、居室親機３０から管理室親機が呼び出された際、カメラＩＤテーブル記憶部４８ａにより管理室親機２０と関連付けられた集合玄関機用の通信回線に接続されたカメラ２４を起動させるように構成されてもよい。
【００２６】
続いて、集合玄関機１０から管理室親機２０の呼出操作を行った場合の動作について、説明する。
具体的には、第２集玄ＩＦ４１ｂに接続されている集合玄関機１０から、第１管親ＩＦ４２ａおよび第１管親モニタＩＦ４５ａに接続されている管理室親機２０の呼出操作を行った場合の動作について、説明する。
来訪者が集合玄関機１０から管理室親機２０への呼出操作を行うと、呼出信号が第２集玄ＩＦ４１ｂ、制御機４、第１管親ＩＦ４２ａを介して管理室親機２０に送信され、呼出音が管理室親機２０から鳴動する。
管理人が受話器２２を取ることにより応答操作を行うと、通話信号が第１管親ＩＦ４２ａを介して制御機４に送信され、ＣＰＵ４８による制御のもと、該信号が処理される。
このときＣＰＵ４８は、カメラＩＤテーブル記憶部４８ａを参照し、この第１管親ＩＦ４２ａのＩＤが関連付けされているかどうかチェックする。本実施形態では、この第１管親ＩＦ４２ａのＩＤは第１集玄カメラＩＦ４１ａのＩＤと関連付けられているため、ＣＰＵ４８は映像ライン４７に対して第１集玄カメラＩＦ４４ａと接続されているはずの集合玄関機カメラを起動するカメラ起動信号を送信する。
また、ＣＰＵ４８は、モニタＩＤテーブル記憶部４８ｂを参照し、第２集玄ＩＦ４１ｂのＩＤが関連付けされているかどうかチェックする。本実施形態では、この第２集玄ＩＦ４１ｂのＩＤは第２管親モニタＩＦ４５ｂのＩＤと関連付けられているため、ＣＰＵ４８は映像ライン４７に対して第２管親モニタＩＦ４５ｂに接続されているはずの管理室親機モニタを起動するモニタ起動信号を送信する。
映像ライン４７は、上述のように、カメラ起動信号を受け取ると、第１集玄カメラＩＦ４４ａを介してその先に接続されているカメラ２４に起動信号を送信し、結果的にカメラ２４が起動することとなる。
また、映像ライン４７は、モニタ起動信号を受け取ると、第２管親モニタＩＦ４５ｂを介してその先に接続されているモニタ１５に起動信号を送信し、結果的にモニタ１５が起動するとともに、カメラ２４で撮像された映像信号をモニタ１５に送信することとなる。すなわち、本実施形態のように、第２管親モニタＩＦ４５ｂに集合玄関機１０のモニタ１５が接続した場合に、集合住宅インターホンシステム１が集合玄関機１０のモニタ１５を起動させる起動信号を送信する回路を有しているかのように動作させることができる。
【００２７】
このように、集合住宅インターホンシステム１によれば、制御機４０に、複数の管理室親機用の通信回線のうち、管理室親機２０が接続されておらず使用されていない通信回線、すなわち使用されていない第２管親モニタＩＦ４５ｂに予めモニタＩＤを登録しておくことで、管理室親機用の通信回線に管理室親機２０が接続されていない場合でも該管理室親機用の通信回線を使用できるようにするとともに、モニタＩＤテーブル記憶部４８ｂにより、集合玄関機ＩＤと、集合玄関機モニタ１５が接続されている通信回線、すなわち第２管親モニタＩＦ４５ｂに登録されたモニタＩＤとを関連付けることで、集合玄関機１０に連動して集合玄関機１０のモニタ１５が起動するようにすることができる。また、集合玄関機１０のモニタ１５は、ＣＰＵ４８により、集合玄関機１０と管理室親機２０とが通話状態になった場合に起動されるように構成されているため、集合玄関機１０と管理室親機２０とが通話状態になった場合に、集合玄関機１０のモニタ１５に管理室のカメラ２４で撮像された映像を表示することができる。
以上のように、本発明の集合住宅インターホンシステム１によれば、当初から存在する管理室親機用の通信回線を使用することにより、制御機４０に新たに回路を追加することなく、集合玄関機１０のモニタ１５に管理室のカメラ２４で撮像された映像を表示することができる。
【００２８】
以上説明した本実施形態の集合住宅インターホンシステム１では、制御機４０に管理室親機２０が接続されている場合について説明したが、これに限られず、管理室親機２０の代わりに、コンシェルジュを撮像するためのカメラを備えるコンシェルジュ親機を接続してもよい。
【００２９】
また、上記集合住宅インターホンシステム１の管理室親機２０は、管理人を撮像するためのカメラ２４を有するカメラ一体型のものであることを前提に説明したが、管理室親機２０はカメラ２４を備えない構成となっていてもよい。この場合、管理室内に、管理人を撮像するためのカメラを別途設置して使用する。
同様に、上記集合住宅インターホンシステム１の集合玄関機１０は、映像を表示するモニタ１５を有するモニタ一体型のものであることを前提に説明したが、集合玄関機１０はモニタ１５を備えない構成となっていてもよい。この場合、集合玄関機１０付近に、映像を表示するためのモニタを別途設置して使用する。
【００３０】
さらに、本実施形態では、使用されていない第１集玄カメラＩＦ４４ａおよび使用されていない第２管親モニタＩＦ４５ｂの双方を使用した場合について説明したが、これに限られず、どちらか一方のみを使用する構成とすることもできる。
【符号の説明】
【００３１】
１・・集合住宅インターホンシステム、１０・・集合玄関機、１１，２１・・操作部、１２，３２・・マイク、１３，３３・・スピーカ、１４，２４・・カメラ、１５，２３，３１・・モニタ、２０・・管理室親機、２２・・受話器、３０・・居室親機、４０・・制御機、４１・・集玄ＩＦ、４２・・管親ＩＦ、４３・・居室ＩＦ、４４・・集玄カメラＩＦ、４５・・管親モニタＩＦ、４６・・音声回路、４７・・映像ライン、４８・・ＣＰＵ、４８ａ・・カメラＩＤテーブル記憶部（カメラＩＤテーブル記憶手段）、４８ｂ・・モニタＩＤテーブル記憶部（モニタＩＤテーブル記憶手段）、Ａ・・音声回路、Ｄ・・データ送受信回路、Ｖｃ・・ビデオ送信回路（接続された集合玄関機のカメラにより撮像された映像を制御機に送信するための映像ライン）、Ｖｍ・・ビデオ受信回路（接続された管理室親機のモニタに、制御機から受信した映像を映す映像ライン）。
【図１】
2011182333.tif 000003
【図２】
2011182333.tif 000004
【図３】
2011182333.tif 000005